(57)【要約】本発明の実施形態は、タッチスクリーン型携帯電話の高速ダイヤル方法を提供する。タッチスクリーン型携帯電話はロック画面インターフェースを採用し、該ロック画面インターフェースのウィンドウ上層にはフローティングウィンドウが表示される。該高速ダイヤル方法は、該ロック画面インターフェースをリアルタイムでモニタリングして、クリックイベントを取得するステップと、該クリックイベントが高速ダイヤルイベントである場合に、該フローティングウィンドウにおいて該クリックイベントに対応する電話番号を取得するステップと、該電話番号にダイヤルするステップと、を含み、ユーザーが該電話番号を使用する相手側とリンクを確立できるようにする。本発明の実施形態は、タッチスクリーン型携帯電話の高速ダイヤル装置を提供する。該高速ダイヤル装置は、クリックイベント取得モジュール、電話番号取得モジュール及びリンク確立モジュールを有する。本発明により、タッチスクリーン型携帯電話がロック画面インターフェースの状態であるときに、該インターフェースに対してロック解除を行うことなく、電話発信操作を行うことができる。すなわち、少ないユーザー操作で、ロック画面インターフェースの本来の機能を保持しながら電話発信操作を行うことができ、ユーザーエクスペリエンスが向上する。
2015517263.tif 000002
【特許請求の範囲】
【請求項１】
タッチスクリーン型携帯電話の高速ダイヤル方法であって、前記タッチスクリーン型携帯電話はロック画面インターフェースを採用し、前記ロック画面インターフェースのウィンドウ上層にはフローティングウィンドウが表示され、
前記ロック画面インターフェースをリアルタイムでモニタリングして、クリックイベントを取得するステップと、
前記クリックイベントが高速ダイヤルイベントである場合に、前記フローティングウィンドウにおいて前記クリックイベントに対応する電話番号を取得するステップと、
前記電話番号にダイヤルするステップと、
を含む方法。
【請求項２】
前記フローティングウィンドウには、少なくとも１つのドラッグ可能な第１のフローティングウィンドウと、ドラッグ不可の第２のフローティングウィンドウとが含まれ、
前記第１のフローティングウィンドウは常用連絡先を表示し、
ここで前記常用連絡先は、前記タッチスクリーン型携帯電話がロック画面インターフェースの状態であるときに、高速ダイヤルに用いられる連絡先であり、
前記第２のフローティングウィンドウはダイヤル領域を表示し、
ここで前記ダイヤル領域は、前記第１のフローティングウィンドウがドラッグされたときに、前記ドラッグが高速ダイヤルのためになされたことを確定する領域である、
請求項１に記載の方法。
【請求項３】
前記クリックイベントを取得する前記ステップの後に、
前記第１のフローティングウィンドウがタッチされており、且つ前記第２のフローティングウィンドウまでドラッグされた場合に、前記クリックイベントが前記高速ダイヤルイベントであると確定するステップ、
を更に含む、請求項２に記載の方法。
【請求項４】
前記クリックイベントに対応する前記電話番号を取得する前記ステップは、
前記クリックイベントでクリックされた第１のフローティングウィンドウを取得するステップと、
第１のフローティングウィンドウと常用連絡先の電話番号との既定の対応関係について問い合わせ、前記クリックされた第１のフローティングウィンドウに対応する常用連絡先の電話番号を取得するステップと、
を更に含み、
前記常用連絡先の前記電話番号は、前記クリックイベントに対応する電話番号である、
請求項２に記載の方法。
【請求項５】
ユーザーに対して常用連絡先設定インターフェースを表示するステップと、
前記ユーザーにより設定された少なくとも１つの常用連絡先を取得し、前記ロック画面インターフェース上に、前記取得された常用連絡先それぞれについて、前記常用連絡先を表示する第１のフローティングウィンドウを１つ生成するステップと、
前記第１のフローティングウィンドウと、前記第１のフローティングウィンドウが表示する前記常用連絡先の電話番号との対応関係を確立するステップと、
を更に含む、請求項２に記載の方法。
【請求項６】
前記ロック画面インターフェースをリアルタイムでモニタリングしてクリックイベントを取得する前記ステップの前に、
前記タッチスクリーン型携帯電話が待機モードであるときに、高速ダイヤルを開始する指示信号を取得するステップと、
前記指示信号に従って、前記タッチスクリーン型携帯電話の画面をオンにして、前記ロック画面インターフェースを表示するステップと、
を更に含む、請求項１〜５のいずれか一項に記載の方法。
【請求項７】
タッチスクリーン型携帯電話の高速ダイヤル装置であって、前記タッチスクリーン型携帯電話はロック画面インターフェースを採用し、前記ロック画面インターフェースのウィンドウ上層にはフローティングウィンドウが表示され、
前記ロック画面インターフェースをリアルタイムでモニタリングして、クリックイベントを取得するクリックイベント取得モジュールと、
前記クリックイベントが高速ダイヤルイベントである場合に、前記フローティングウィンドウにおいて前記クリックイベントに対応する電話番号を取得する電話番号取得モジュールと、
前記電話番号にダイヤルするリンク確立モジュールと、
を備える装置。
【請求項８】
前記フローティングウィンドウには、少なくとも１つのドラッグ可能な第１のフローティングウィンドウと、ドラッグ不可の第２のフローティングウィンドウとが含まれ、
前記第１のフローティングウィンドウは常用連絡先を表示し、
ここで前記常用連絡先は、前記タッチスクリーン型携帯電話がロック画面インターフェースの状態であるときに、高速ダイヤルに用いられる連絡先であり、
前記第２のフローティングウィンドウはダイヤル領域を表示し、
ここで前記ダイヤル領域は、前記第１のフローティングウィンドウがドラッグされたときに、前記ドラッグが高速ダイヤルのためになされたことを確定する領域である、
請求項７に記載の装置。
【請求項９】
前記第１のフローティングウィンドウがタッチされており、且つ前記第２のフローティングウィンドウまでドラッグされた場合に、前記クリックイベントが前記高速ダイヤルイベントであると確定する高速ダイヤルイベント確定モジュール、
を更に備える、請求項８に記載の装置。
【請求項１０】
前記電話番号取得モジュールは、
前記クリックイベントでクリックされた第１のフローティングウィンドウを取得するクリックイベント・フローティングウィンドウ取得部と、
第１のフローティングウィンドウと常用連絡先の電話番号との既定の対応関係について問い合わせ、前記クリックされた第１のフローティングウィンドウに対応する常用連絡先の電話番号を取得する電話番号取得部と、
を有し、
前記常用連絡先の前記電話番号は、前記クリックイベントに対応する電話番号である、
請求項８に記載の装置。
【請求項１１】
ユーザーに対して常用連絡先設定インターフェースを表示する表示モジュールと、
前記ユーザーにより設定された少なくとも１つの常用連絡先を取得し、前記ロック画面インターフェース上に、前記取得された常用連絡先それぞれについて、前記常用連絡先を表示する第１のフローティングウィンドウを１つ生成する第１のフローティングウィンドウ生成モジュールと、
前記第１のフローティングウィンドウと、前記第１のフローティングウィンドウが表示する前記常用連絡先の電話番号との対応関係を確立する対応関係確立モジュールと、
を更に備える、請求項８に記載の装置。
【請求項１２】
前記タッチスクリーン型携帯電話が待機モードであるときに、高速ダイヤルを開始する指示信号を取得する高速ダイヤル指示信号取得モジュールと、
前記指示信号に従って、前記タッチスクリーン型携帯電話の画面をオンにして、前記ロック画面インターフェースを表示するロック画面インターフェース表示モジュールと、
を更に備える、請求項７〜１１のいずれか一項に記載の装置。
【発明の詳細な説明】
【技術分野】
【０００１】
本願は、２０１２年４月１０日に中国特許庁に提出された、「タッチスクリーン型携帯電話の高速ダイヤル方法及び装置」と題される中国特許出願公開第２０１２１０１０３３４９９号に対する優先権を主張し、その全体を参照することにより本願に援用する。
【０００２】
本発明は、タッチスクリーン型携帯電話の高速ダイヤル方法及び装置に関する。
【背景技術】
【０００３】
スマートフォンの技術が発展するにつれて、タッチスクリーン型携帯電話が次々に発表され、すでに携帯電話の発展において主流になっている。従来のキーボード操作と比較すると、タッチスクリーン操作は非常に便利である。一方、誤操作を防止するために、携帯電話を使用しないときには一般にスクリーンロックが用いられる。いわゆるスクリーンロックとは、タッチスクリーン型携帯電話において携帯電話の誤操作を防止するために、携帯電話インターフェースの最上層に表示される全画面ウィンドウである。該ウィンドウは適切な操作によってのみ解除することができ、解除すると、携帯電話のその他のインターフェースにエントリーして操作を行うことができる。携帯電話のロックを解除する操作としては、スライド操作が一般的である。
【発明の概要】
【発明が解決しようとする課題】
【０００４】
しかしながら、この構成により別の不便さが生じる。すなわち、何らかの操作を行う前に、まずスクリーンロックを解除しなければならない。電話発信は携帯電話で最もよく使用される機能のひとつであるが、スクリーンロックの制限により、ユーザーは電話発信をする前にまずスクリーンロックを解除しなければならない。このように、ユーザーの操作が増えてしまっている。
【課題を解決するための手段】
【０００５】
タッチスクリーン型携帯電話がロック画面モードであるときの高速ダイヤルを可能にするために、本発明の実施形態は、タッチスクリーン型携帯電話における高速ダイヤルの方法を提供する。該タッチスクリーン型携帯電話はロック画面インターフェースを採用し、該ロック画面インターフェースのウィンドウ上層には、フローティングウィンドウが表示される。
【０００６】
該高速ダイヤル方法は、
該ロック画面インターフェースをリアルタイムでモニタリングして、クリックイベントを取得するステップと、
該クリックイベントが高速ダイヤルイベントである場合に、該フローティングウィンドウにおいて該クリックイベントに対応する電話番号を取得するステップと、
該電話番号にダイヤルするステップと、
を含む。
【０００７】
該フローティングウィンドウには、少なくとも１つのドラッグ可能な第１のフローティングウィンドウと、ドラッグ不可の第２のフローティングウィンドウとが含まれる。該第１のフローティングウィンドウは、常用連絡先を表示する。該常用連絡先は、タッチスクリーン型携帯電話がロック画面インターフェースの状態であるときに、高速ダイヤルに用いられる連絡先である。該第２のフローティングウィンドウは、ダイヤル領域を表示する。該ダイヤル領域は、該第１のフローティングウィンドウがドラッグされたときに、該ドラッグが高速ダイヤルのためになされたことを確定する領域である。
【０００８】
該方法は、該クリックイベントを取得する該ステップの後に、
該第１のフローティングウィンドウがタッチされており、且つ該第２のフローティングウィンドウまでドラッグされた場合に、該クリックイベントが該高速ダイヤルイベントであると確定するステップ、
を更に含む。
【０００９】
該クリックイベントに対応する該電話番号を取得する該ステップは、
該クリックイベントでクリックされた第１のフローティングウィンドウを取得するステップと、
第１のフローティングウィンドウと常用連絡先の電話番号との既定の対応関係について問い合わせ、該クリックされた第１のフローティングウィンドウに対応する常用連絡先の電話番号を取得するステップと、
を更に含む。該対応する常用連絡先の該電話番号は、該クリックイベントに対応する電話番号である。
【００１０】
該方法は更に、
ユーザーに対して常用連絡先設定インターフェースを表示するステップと、
該ユーザーにより設定された少なくとも１つの常用連絡先を取得し、該ロック画面インターフェース上に、該取得された常用連絡先それぞれについて、該常用連絡先を表示する第１のフローティングウィンドウを１つ生成するステップと、
該第１のフローティングウィンドウと、該第１のフローティングウィンドウが表示する該常用連絡先の電話番号との対応関係を確立するステップと、
を含む。
【００１１】
該方法は、該ロック画面インターフェースをリアルタイムでモニタリングしてクリックイベントを取得する該ステップの前に、
該タッチスクリーン型携帯電話が待機モードであるときに、高速ダイヤルを開始する指示信号を取得するステップと、
該指示信号に従って、該タッチスクリーン型携帯電話の画面をオンにして、該ロック画面インターフェースを表示するステップと、
を更に含む。
【００１２】
本発明の実施形態はまた、タッチスクリーン型携帯電話の高速ダイヤル装置を提供する。該タッチスクリーン型携帯電話はロック画面インターフェースを採用し、該ロック画面インターフェースのウィンドウ上層には、フローティングウィンドウが表示される。
【００１３】
該高速ダイヤル装置は、
該ロック画面インターフェースをリアルタイムでモニタリングして、クリックイベントを取得するクリックイベント取得モジュールと、
該クリックイベントが高速ダイヤルイベントである場合に、該フローティングウィンドウにおいて該クリックイベントに対応する電話番号を取得する電話番号取得モジュールと、
該電話番号にダイヤルするリンク確立モジュールと、
を備える。
【００１４】
該フローティングウィンドウには、少なくとも１つのドラッグ可能な第１のフローティングウィンドウと、ドラッグ不可の第２のフローティングウィンドウとが含まれる。該第１のフローティングウィンドウは、常用連絡先を表示する。該常用連絡先は、該タッチスクリーン型携帯電話がロック画面インターフェースの状態であるときに、高速ダイヤルに用いられる連絡先である。該第２のフローティングウィンドウは、ダイヤル領域を表示する。該ダイヤル領域は、該第１のフローティングウィンドウがドラッグされたときに、該ドラッグが高速ダイヤルのためになされたことを確定する領域である。
【００１５】
該装置は更に、
該第１のフローティングウィンドウがタッチされており、且つ該第２のフローティングウィンドウまでドラッグされた場合に、該クリックイベントが該高速ダイヤルイベントであると確定する高速ダイヤルイベント確定モジュール、
を備える。
【００１６】
該電話番号取得モジュールは、
該クリックイベントでクリックされた第１のフローティングウィンドウを取得するクリックイベント・フローティングウィンドウ取得部と、
第１のフローティングウィンドウと常用連絡先の電話番号との既定の対応関係について問い合わせ、該クリックされた第１のフローティングウィンドウに対応する常用連絡先の電話番号を取得する電話番号取得部と、
を有する。該常用連絡先の該電話番号は、該クリックイベントに対応する電話番号である。
【００１７】
該装置は更に、
ユーザーに対して常用連絡先設定インターフェースを表示する表示モジュールと、
該ユーザーにより設定された少なくとも１つの常用連絡先を取得し、該ロック画面インターフェース上に、該取得された常用連絡先それぞれについて、該常用連絡先を表示する第１のフローティングウィンドウを１つ生成する第１のフローティングウィンドウ生成モジュールと、
該第１のフローティングウィンドウと、該第１のフローティングウィンドウが表示する該常用連絡先の電話番号との対応関係を確立する対応関係確立モジュールと、
を備える。
【００１８】
該装置は更に、
該タッチスクリーン型携帯電話が待機モードであるときに、高速ダイヤルを開始する指示信号を取得する高速ダイヤル指示信号取得モジュールと、
該指示信号に従って、該タッチスクリーン型携帯電話の画面をオンにして、該ロック画面インターフェースを表示するロック画面インターフェース表示モジュールと、
を備える。
【発明の効果】
【００１９】
本発明の実施形態では、ロック画面インターフェースをリアルタイムでモニタリングし、モニタリングの結果高速ダイヤルイベントに用いられるクリックイベントを取得すると、該クリックイベントに対応する電話番号を取得し、該電話番号にダイヤルすることにより、ユーザーが該電話番号に対応する端末すなわち被発呼側とリンクを確立できるようにする。よって、タッチスクリーン型携帯電話がロック画面インターフェースの状態であるときに、該インターフェースに対してロック解除を行うことなく、電話番号をダイヤルする操作を行うことができる。すなわち、ユーザー操作が少なくなると共に、ロック画面インターフェースはその本来の機能を保持することができる。
【図面の簡単な説明】
【００２０】
本発明の実施形態又は従来技術の技術的構成をより明瞭に説明するために、以下に記載される実施形態又は従来技術の説明において用いられる図面を簡単に紹介する。当然ながら、以下に説明する図面は、本発明の一実施形態を示すものに過ぎない。本技術分野の当業者であれば、創造的活動を行わなくても、これらの図面に基づいて他の図面を導けるであろう。
【図１】本発明の一実施形態に係る、タッチスクリーン型携帯電話の高速ダイヤル方法を示すフローチャートである。
【図２】本発明の別の実施形態に係る、タッチスクリーン型携帯電話の高速ダイヤル方法を示すフローチャートである。
【図３】本発明の一実施形態に係るロック画面インターフェースを示す説明図である。
【図４】本発明の別の実施形態に係るロック画面インターフェースを示す説明図である。
【図５】本発明の一実施形態に係る、タッチスクリーン型携帯電話の高速ダイヤル装置を示す説明図である。
【図６】本発明の別の実施形態に係る、タッチスクリーン型携帯電話の高速ダイヤル装置を示す説明図である。
【発明を実施するための形態】
【００２１】
本発明の実施形態の目的、技術的構成及び利点を更に明確にするために、図面を参照して、以下に本発明の実施形態における技術的構成を明確且つ完全に説明する。当然ながら、説明される実施形態は本発明の実施形態の一部に過ぎず、全てではない。本技術分野の当業者が、本発明の実施形態に基づき創造的活動を行うことなく得た他の実施形態は、すべて本発明の保護範囲に包含されるものとする。
【００２２】
図１に、本発明の実施形態に係る、タッチスクリーン型携帯電話の高速ダイヤル方法を示す。該タッチスクリーン型携帯電話はロック画面インターフェースを採用し、該ロック画面インターフェースのウィンドウ上層にはフローティングウィンドウが表示される。該高速ダイヤル方法は、以下のステップを含む。
【００２３】
Ｓ１０１において、ロック画面インターフェースをリアルタイムでモニタリングして、クリックイベントを取得する。
【００２４】
Ｓ１０２において、クリックイベントが高速ダイヤルイベントである場合に、フローティングウィンドウにおいて該クリックイベントに対応する電話番号を取得する。
【００２５】
Ｓ１０３において、該電話番号にダイヤルし、ユーザーが該電話番号を使用する相手側とリンクを確立できるようにする。
【００２６】
ここで、ロック画面インターフェースは、タッチスクリーン型携帯電話において、タッチスクリーン型携帯電話の誤操作を防止するために、タッチスクリーン型携帯電話インターフェースの最上層に表示される全画面ウィンドウである。該ウィンドウは適切な操作によってのみ解除することができ、解除すると、タッチスクリーン型携帯電話のその他のインターフェースにエントリーして操作を行うことができる。
【００２７】
なお、本発明の実施形態におけるタッチスクリーン型携帯電話は、タブレット型コンピューターやパーソナルデジタルアシスタント（Personal  Digital  Assistant：ＰＤＡ）等の他のタッチスクリーン型端末であってよい。そのようなタッチスクリーン型端末の常用操作に、対応する高速ダイヤル方法を適応させてよい。したがって本発明の実施形態の方法に基づいて上述のように構成された技術的構成は、すべて本発明の保護範囲に包含されるものとし、ここで繰り返し説明することはしない。
【００２８】
本発明の実施形態では、ロック画面インターフェースをリアルタイムでモニタリングし、モニタリングの結果高速ダイヤルイベントに用いられるクリックイベントを取得すると、該クリックイベントに対応する電話番号を取得し、該電話番号にダイヤルすることにより、ユーザーが該電話番号を使用する相手側とリンクを確立できるようにする。よって、タッチスクリーン型携帯電話がロック画面インターフェースの状態であるときに、該インターフェースに対してロック解除を行うことなく、電話番号をダイヤルする操作を行うことができる。すなわち、ユーザー操作が少なくなると共に、ロック画面インターフェースはその本来の機能を保持することができ、ユーザーエクスペリエンスが向上する。
【００２９】
図２に、本発明の別の実施形態に係る、タッチスクリーン型携帯電話の高速ダイヤル方法を示す。該タッチスクリーン型携帯電話はロック画面インターフェースを採用する。該高速ダイヤル方法は、以下のステップを含む。
【００３０】
Ｓ２０１において、ユーザーに対して常用連絡先設定インターフェースを表示する。
【００３１】
ここで、常用連絡先は、タッチスクリーン型携帯電話がロック画面インターフェースの状態であるときに高速ダイヤルに用いられる連絡先である。
【００３２】
本実施形態において、常用連絡先設定インターフェースは、別個のソフトウェアインターフェースという形で、ユーザーに対して表示することができる。例えば、ソフトウェアインターフェースには、連絡先の名前及び電話番号の表示に用いられるユーザーの連絡先リストが含まれる。各連絡先の後にチェック可能なチェックボックスを設置すると、ユーザーは該チェックボックスをタッチしクリックすることによって、連絡先を常用連絡先として設定するかを確認することができる。
【００３３】
更に任意に、連絡先リストに含まれる各連絡先の詳細情報に、常用連絡先設定インターフェースを追加してもよい。この構成により、各連絡先の詳細情報を取得する際に、該連絡先を常用連絡先として設定するか否かをユーザーに確定させることができる。
【００３４】
Ｓ２０２において、ユーザーにより設定された少なくとも１つの常用連絡先を取得し、ロック画面インターフェース上に、該常用連絡先を表示する第１のフローティングウィンドウを生成する。
【００３５】
本実施形態において、Ｓ２０１で表示される常用連絡先設定インターフェースを介してユーザーにより常用連絡先が選択されると、ロック画面インターフェースに、該常用連絡先を表示するフローティングウィンドウ（すなわち第１のフローティングウィンドウ）が生成される。任意に、フローティングウィンドウに表示されるアイコンは、常用連絡先の名前であってもよいし、ユーザーにより常用連絡先に設定された特定の画像であってもよい。ユーザーにより常用連絡先が設定された後に、ロック画面インターフェースで後続の高速ダイヤルステップが実行される。
【００３６】
任意に、常用連絡先は、他の方法で確定されてもよい。例えば、ユーザーの通話記録における直近の連絡先を、常用連絡先としてもよい。また、ユーザーが一定時間内に異なる電話番号に対して行ったダイヤル頻度に基づいて、番号がダイヤルされた頻度が比較的高い連絡先を、常用連絡先としてもよい。常用連絡先は他の方法によって確定されてよく、ここで繰り返し説明することはしない。
【００３７】
ユーザーにより少なくとも１つの常用連絡先が設定されると、第１のフローティングウィンドウと対応する常用連絡先の電話番号との対応関係が初期設定される。該対応関係には、該第１のフローティングウィンドウに対応する常用連絡先の情報を含めることができる。該対応関係を、例として表１に示す。
【００３８】
【表１】
2015517263.tif 000003
Ｓ２０３において、該タッチスクリーン型携帯電話が待機モードであるときに、高速ダイヤルを開始する指示信号を取得する。
【００３９】
ここで、待機モードとは、タッチスクリーン型携帯電話の画面がオフになっている状態を意味する。指示信号は、タッチスクリーン型携帯電話が高速ダイヤル機能を開始するモードになるように指示する。
【００４０】
任意に、指示信号は、特定のホットキーを押すことにより送信される電気信号であってよい。特定のホットキーは、携帯電話のスイッチキー等の機能キーであってよい。
【００４１】
Ｓ２０４において、該指示信号に従って、タッチスクリーン型携帯電話の画面をオンにし、ロック画面インターフェースを表示する。
【００４２】
例えば、タッチスクリーン型携帯電話のスイッチキーを押すことにより生成された電気信号が受信されると、該電気信号に従って、該タッチスクリーン型携帯電話の画面をオンにすると同時に、該タッチスクリーン型携帯電話のロック画面インターフェースを表示する。
【００４３】
Ｓ２０５において、該ロック画面インターフェースのウィンドウ上層に、少なくとも１つのドラッグ可能な第１のフローティングウィンドウと、１つのドラッグ不可の第２のフローティングウィンドウとを表示する。
【００４４】
第１のフローティングウィンドウは、常用連絡先を表示する。常用連絡先は、タッチスクリーン型携帯電話がロック画面インターフェースの状態であるときに高速ダイヤルに用いられる連絡先である。第２のフローティングウィンドウは、ダイヤル領域を表示する。ダイヤル領域は、第１のフローティングウィンドウがドラッグされたときに、該ドラッグが高速ダイヤルのためになされたことを確定する領域である。
【００４５】
例えば、図３に示すタッチスクリーン型携帯電話のロック画面インターフェースでは、アイコンＡ，Ｂ，Ｃのフローティングウィンドウが第１のフローティングウィンドウであり、Ａ、Ｂ及びＣはユーザーにより設定された常用連絡先の名前を示す。該ロック画面インターフェースの右側に位置するアイコンは、電話を簡単に表したフローティングウィンドウ、すなわち第２のフローティングウィンドウである。
【００４６】
Ｓ２０６において、ロック画面インターフェースをリアルタイムでモニタリングして、クリックイベントを取得する。
【００４７】
本ステップでは、タッチスクリーン型携帯電話のバックグラウンドにおいて、図３に示すようなロック画面インターフェースに対してリアルタイムのモニタリングを行って、任意のクリックイベントを取得することができる。該クリックイベントは、ロック画面インターフェースの任意の位置をクリックして開始されるクリックイベントとすることができる。例えば、アイコンＡのフローティングウィンドウがタッチされているときに生成されるクリックイベントをＤＡとし、アイコンが右矢印のフローティングウィンドウがタッチされているときに生成されるクリックイベントをＤＸとする。
【００４８】
Ｓ２０７において、第１のフローティングウィンドウがタッチされており、且つ第２のフローティングウィンドウまでドラッグされた場合に、該クリックイベントが高速ダイヤルイベントであると確定する。
【００４９】
具体的には、Ｓ２０７は更に以下のステップを含むことができる。
【００５０】
Ｓ２０７１において、第１のフローティングウィンドウがタッチされているか否かを判定する。タッチされていると判定された場合はＳ２０７２を実行し、判定されなかった場合はＳ２０６に戻る。
【００５１】
具体的には、本ステップにおいて、Ｓ２０６で取得されたクリックイベントが、該第１のフローティングウィンドウをクリックして開始されたクリックイベントであるか否かを判定する。これにより、該第１のフローティングウィンドウがタッチされているか否かを更に確定する。
【００５２】
例えば、図３に示すようなロック画面インターフェースにおいて、取得されたクリックイベントがＤＡであれば、第１のフローティングウィンドウがタッチされていると確定し、Ｓ２０７２を実行する。取得されたクリックイベントがＤＸであれば、該クリックイベントには応答せず、Ｓ２０６に戻り、ロック画面インターフェースをリアルタイムでモニタリングして、クリックイベントを取得する。
【００５３】
Ｓ２０７２において、タッチされている第１のフローティングウィンドウがドラッグされたか否かを判定する。ドラッグされたと判定された場合はＳ２０７３を実行し、判定されなかった場合はＳ２０６に戻る。
【００５４】
例えば、Ｓ２０７１に示すように、アイコンＡの第１のフローティングウィンドウがタッチされている場合、本ステップにより、該第１のフローティングウィンドウが移動されたか否かが更に判定される。移動されたと判定された場合はＳ２０７３を実行する。判定されなかった場合はＳ２０６に戻り、ロック画面インターフェースをリアルタイムでモニタリングして、クリックイベントを取得する。
【００５５】
なお、本ステップでいう移動とは、第１のフローティングウィンドウをドラッグすることにより生じる連続的な移動を意味する。
【００５６】
Ｓ２０７３において、タッチされている第１のフローティングウィンドウのドラッグが終了したか否かを判定する。ドラッグが終了したと判定された場合はＳ２０７４を実行し、判定されなかった場合はＳ２０７２に戻る。
【００５７】
例えば、Ｓ２０７２において、アイコンＡの第１のフローティングウィンドウがドラッグされる場合、そのドラッグが終了すればＳ２０７４が実行される。該第１のフローティングウィンドウがまだドラッグされている場合は、Ｓ２０７２が実行される。
【００５８】
なお、本実施形態では、第１のフローティングウィンドウがドラッグされてから該ドラッグが終了するまでを明瞭に説明するために、該動作をＳ２０７２とＳ２０７３の２つのステップに分解した。しかしながら、フローティングウィンドウがドラッグされ該ドラッグが終了するまでは連続する動作であるので、Ｓ２０７２とＳ２０７３は、１つの連続する判定ステップに置き換えられてもよい。したがって、第１のフローティングウィンドウが連続的にドラッグされ該ドラッグが終了したか否かを判定する他の方法は、すべて本発明の保護範囲に包含されるものとし、ここで繰り返し説明することはしない。
【００５９】
Ｓ２０７４において、第１のフローティングウィンドウが第２のフローティングウィンドウまでドラッグされたか否かを判定する。第２のフローティングウィンドウまでドラッグされたと判定された場合は、該クリックイベントＤＡが高速ダイヤルイベントであると確定し、Ｓ２０８を実行する。判定されなかった場合は、第１のフローティングウィンドウをロック画面インターフェースでの元の位置に戻し、工程はＳ２０６に戻る。
【００６０】
例えば、図４に示すように、アイコンＡの第１のフローティングウィンドウが、ロック画面インターフェース右側に位置するアイコン（電話を簡単に表示した第２のフローティングウィンドウ）までドラッグされると、Ｓ２０８が実行される。第２のフローティングウィンドウまでドラッグされない場合は、該第１のフローティングウィンドウをロック画面インターフェースでの元の位置に戻した後、Ｓ２０６に戻り、ロック画面インターフェースをリアルタイムでモニタリングして、クリックイベントを取得する。
【００６１】
具体的には、第１のフローティングウィンドウが第２のフローティングウィンドウまでドラッグされたか否かは、該第１のフローティングウィンドウと第２のフローティングウィンドウとの重複面積によって判定される。該第１のフローティングウィンドウと第２のフローティングウィンドウとの重複面積が既定値よりも大きいか又は既定値と等しい場合に、該第１のフローティングウィンドウが該第２のフローティングウィンドウまでドラッグされたと判定される。該既定値は、実験的統計から導出される好適な値とすることができる。
【００６２】
Ｓ２０８において、クリックイベントでクリックされた第１のフローティングウィンドウを取得する。
【００６３】
例えば、該クリックイベントがＤＡである場合、対応する第１のフローティングウィンドウは、アイコンＡの第１のフローティングウィンドウである。
【００６４】
Ｓ２０９において、第１のフローティングウィンドウと常用連絡先の電話番号との既定の対応関係について問い合わせ、該クリックされた第１のフローティングウィンドウに対応する常用連絡先の電話番号を取得する。
【００６５】
ここで、該対応する常用連絡先の電話番号は、該クリックイベントに対応する電話番号である。
【００６６】
例えば、アイコンＡのフローティングウィンドウがタッチされていると確定され、生成されたクリックイベントＤＡが高速ダイヤルイベントである場合、表１の対応関係について問い合わせることにより、アイコンＡの第１のフローティングウィンドウに対応する常用連絡先の電話番号が１２３であることが分かる。
【００６７】
Ｓ２１０において、該電話番号にダイヤルし、ユーザーが該電話番号を使用する相手側とリンクを確立することができるようにする。
【００６８】
例えば、Ｓ２０８においてアイコンＡの第１のフローティングウィンドウが第２のフローティングウィンドウまでドラッグされると、常用連絡先Ａの電話番号１２３を取得し、該電話番号にダイヤルすることにより、ユーザーが該電話番号を使用する相手側とリンクを確立できるようにする。
【００６９】
本発明の実施形態では、ロック画面インターフェースをリアルタイムでモニタリングし、モニタリングの結果高速ダイヤルイベントに用いられるクリックイベントを取得すると、該クリックイベントに対応する電話番号を取得し、該電話番号にダイヤルすることにより、ユーザーが該電話番号を使用する相手側とリンクを確立できるようにする。よって、タッチスクリーン型携帯電話がロック画面インターフェースの状態であるときに、該インターフェースに対してロック解除を行うことなく、電話番号をダイヤルする操作を行うことができる。すなわち、少ないユーザー操作で、ロック画面インターフェースの本来の機能を保持しながら電話発信操作を行うことができ、ユーザーエクスペリエンスが向上する。
【００７０】
図５に、本発明の実施形態に係る、タッチスクリーン型携帯電話の高速ダイヤル装置を示す。該タッチスクリーン型携帯電話はロック画面インターフェースを採用し、ロック画面インターフェースのウィンドウ上層にはフローティングウィンドウが表示される。該高速ダイヤル装置は、クリックイベント取得モジュール３０１、電話番号取得モジュール３０２及びリンク確立モジュール３０３を有する。
【００７１】
クリックイベント取得モジュール３０１は、ロック画面インターフェースをリアルタイムでモニタリングして、クリックイベントを取得する。
【００７２】
電話番号取得モジュール３０２は、該クリックイベントが高速ダイヤルイベントである場合に、フローティングウィンドウにおいて該クリックイベントに対応する電話番号を取得する。
【００７３】
リンク確立モジュール３０３は、該電話番号にダイヤルする。
【００７４】
なお、本発明の実施形態におけるタッチスクリーン型携帯電話は、タブレット型コンピューターやＰＤＡ等の他のタッチスクリーン型端末であってもよい。
【００７５】
本発明の実施形態では、ロック画面インターフェースをリアルタイムでモニタリングし、モニタリングの結果高速ダイヤルイベントに用いられるクリックイベントを取得すると、該クリックイベントに対応する電話番号を取得し、該電話番号にダイヤルすることにより、ユーザーが該電話番号を使用する相手側とリンクを確立できるようにする。よって、タッチスクリーン型携帯電話がロック画面インターフェースの状態であるときに、該インターフェースに対してロック解除を行うことなく、電話番号をダイヤルする操作を行うことができる。すなわち、少ないユーザー操作で、ロック画面インターフェースの本来の機能を保持しながら電話発信操作を行うことができ、ユーザーエクスペリエンスが向上する。
【００７６】
図６に、本発明の別の実施形態に係る、タッチスクリーン型携帯電話の高速ダイヤル装置を示す。該タッチスクリーン型携帯電話は、ロック画面インターフェースを採用する。本実施形態は、上述の実施形態におけるクリックイベント取得モジュール３０１、電話番号取得モジュール３０２及びリンク確立モジュール３０３を含む。ここで、電話番号取得モジュール３０２は、クリックイベント・フローティングウィンドウ取得部３０２１及び電話番号取得部３０２２を有する。
【００７７】
クリックイベント・フローティングウィンドウ取得部３０２１は、クリックイベントでクリックされた第１のフローティングウィンドウを取得する。
【００７８】
電話番号取得部３０２２は、第１のフローティングウィンドウと常用連絡先の電話番号との既定の対応関係について問い合わせ、クリックされた第１のフローティングウィンドウに対応する常用連絡先の電話番号を取得する。該対応する常用連絡先の電話番号は、該クリックイベントに対応する電話番号である。
【００７９】
フローティングウィンドウには、第１のフローティングウィンドウと、ドラッグ不可の第２のフローティングウィンドウとが含まれる。第１のフローティングウィンドウは、常用連絡先を表示する。常用連絡先は、該タッチスクリーン型携帯電話がロック画面インターフェースの状態であるときに高速ダイヤルに用いられる連絡先である。該第２のフローティングウィンドウは、ダイヤル領域を表示する。ダイヤル領域は、第１のフローティングウィンドウがドラッグされたときに、該ドラッグが高速ダイヤルのためになされたことを確定する領域である。
【００８０】
更に、本装置は、高速ダイヤルイベント確定モジュール３０４を有する。高速ダイヤルイベント確定モジュール３０４は、少なくとも１つの第１のフローティングウィンドウがタッチされており、且つ第２のフローティングウィンドウまでドラッグされた場合に、該クリックイベントが高速ダイヤルイベントであると確定する。
【００８１】
任意に、高速ダイヤルイベント確定モジュール３０４を具体的に以下のように構成することができる。まず、第１のフローティングウィンドウがタッチされているか否かを判定する。第１のフローティングウィンドウがタッチされている場合は、続いて該タッチされている第１のフローティングウィンドウがドラッグされたか否かを判定する。該タッチされている第１のフローティングウィンドウがドラッグされた場合は、続いて該タッチされている第１のフローティングウィンドウのドラッグが終了したか否かを判定する。該タッチされている第１のフローティングウィンドウのドラッグが終了した場合は、続いて該第１のフローティングウィンドウが第２のフローティングウィンドウまでドラッグされたか否かを判定する。最後に、該第１のフローティングウィンドウが該第２のフローティングウィンドウまでドラッグされた場合に、該クリックイベントＤＡが高速ダイヤルイベントであると確定する。
【００８２】
更に、本装置は以下のモジュールを有する。
【００８３】
表示モジュール３０５は、ユーザーに対して常用連絡先設定インターフェースを表示する。
【００８４】
第１のフローティングウィンドウ生成モジュール３０６は、該ユーザーにより設定された少なくとも１つの常用連絡先を取得し、該ロック画面インターフェース上に、該常用連絡先を表示する第１のフローティングウィンドウを生成する。
【００８５】
対応関係確立モジュール３０７は、該第１のフローティングウィンドウと該常用連絡先の電話番号との対応関係を確立する。
【００８６】
更に任意に、本装置は以下のモジュールを有する。
【００８７】
高速ダイヤル指示信号取得モジュール３０８は、該タッチスクリーン型携帯電話が待機モードであるときに、高速ダイヤルを開始する指示信号を取得する。
【００８８】
ロック画面インターフェース表示モジュール３０９は、該指示信号に従って、該タッチスクリーン型携帯電話の画面をオンにして、該ロック画面インターフェースを表示する。
【００８９】
本発明の実施形態では、ロック画面インターフェースをリアルタイムでモニタリングし、モニタリングの結果高速ダイヤルイベントに用いられるクリックイベントを取得すると、該クリックイベントに対応する電話番号を取得し、該電話番号にダイヤルすることにより、ユーザーが該電話番号を使用する相手側とリンクを確立できるようにする。よって、タッチスクリーン型携帯電話がロック画面インターフェースの状態であるときに、該インターフェースに対してロック解除を行うことなく、電話番号をダイヤルする操作を行うことができる。すなわち、ユーザー操作が少なくなると共に、ロック画面インターフェースはその本来の機能を保持することができ、ユーザーエクスペリエンスが向上する。
【００９０】
本技術分野の当業者には当然であるように、上記実施形態の方法のステップの全て又は一部を、プログラム命令に関連するハードウェアによって実現することができる。該プログラムは、コンピューター可読の記憶媒体に格納されてよい。該プログラムを実行する際に、上記実施形態の方法のステップを実行してよい。記憶媒体には、ＲＯＭ（Read  Only  Memory）、ＲＡＭ（Random  Access  Memory）、磁気ディスク、光ディスク等の、プログラムコードを格納できる媒体が含まれる。
【００９１】
なお、上述の実施形態は本発明の技術的構成を説明するためのものに過ぎず、限定を意図するものではない。上記実施形態を参照して本発明を詳細に説明したが、本技術分野の当業者には当然であるように、上記実施形態に記載された技術的構成に対して変更を行うことができ、或いはその一部の技術的特徴を均等なものと置き換えることができる。このような変更又は置換により、対応する技術的構成の本質が、本発明の各実施形態における技術的構成の趣旨及び範囲から逸脱することはない。
【図１】
2015517263.tif 000004
【図２】
2015517263.tif 000005
【図３】
2015517263.tif 000006
【図４】
2015517263.tif 000007
【図５】
2015517263.tif 000008
【図６】
2015517263.tif 000009
【国際調査報告】
2015517263.tif 000010
2015517263.tif 000011
2015517263.tif 000012
2015517263.tif 000013